(57)【特許請求の範囲】
【請求項１】
腕金の端部の開口から前記腕金の内周面と対向するように挿入される胴体部と、
前記内周面と対向する前記胴体部の対向面から前記内周面に向かって突出するように設けられ、前記胴体部が前記開口から抜け出さないように前記内周面に接触する突出部と、
前記胴体部に設けられ、前記胴体部が前記腕金の内部に挿入された状態で前記開口を塞ぐ蓋部と、
前記蓋部から突出するように設けられ、間接活線工具で把持される把持部と、
を備えることを特徴とする腕金用営巣防止具。
【請求項２】
前記突出部は、前記対向面の周方向に沿って連続して設けられる
ことを特徴とする請求項１に記載の腕金用営巣防止具。
【請求項３】
前記突出部は、弾性変形する材質で形成される第１突出部と、前記第１突出部よりも前記胴体部が前記腕金の内部に挿入される方向の側に設けられ、弾性変形する材質で形成される第２突出部と、で形成され、
前記第２突出部が前記内周面に接触する圧力が、前記第１突出部が前記内周面に接触する圧力よりも小さくなるように、前記第２突出部の突出する長さが前記第１突出部の突出する長さよりも短く形成される
ことを特徴とする請求項２に記載の腕金用営巣防止具。
【請求項４】
前記突出部は、前記胴体部が前記腕金の内部に挿入されるときに前記開口と対向する第１面と、前記第１面の前記開口とは反対側に設けられる第２面と、を有し、
前記第１面と前記第２面とが前記対向面から遠ざかるにつれて互いに接近するように形成され、
前記第１面と前記対向面とで挟まれた第１角と、前記第２面と前記対向面とで挟まれた第２角と、が対向するとともに、前記第１角の第１角度が前記第２角の第２角度よりも小さくなるように形成される
ことを特徴とする請求項２又は請求項３に記載の腕金用営巣防止具。
【請求項５】
前記突出部は、前記胴体部の対向面の周方向に沿って断続的に設けられる
ことを特徴とする請求項１に記載の腕金用営巣防止具。
【請求項６】
前記突出部は、弾性変形する材質で形成される第３突出部と、前記第３突出部よりも前記胴体部が前記腕金の内部に挿入される方向の側に設けられ、弾性変形する材質で形成される第４突出部と、で形成され、
前記第４突出部が前記内周面に接触する圧力が、前記第３突出部が前記内周面に接触する圧力よりも小さくなるように、前記第４突出部の突出する長さが前記第３突出部の突出する長さよりも短く形成される
ことを特徴とする請求項５に記載の腕金用営巣防止具。
【請求項７】
前記突出部は、前記胴体部が前記腕金の内部に挿入されるときに前記開口と対向する第３面と、前記第３面の前記開口とは反対側に設けられる第４面と、を有し、
前記第３面と前記第４面とが前記対向面から遠ざかるにつれて互いに接近するように形成され、
前記第３面と前記対向面とで挟まれた第３角と、前記第４面と前記対向面とで挟まれた第４角と、が対向するとともに、前記第３角の第３角度が前記第４角の第４角度よりも小さくなるように形成される
ことを特徴とする請求項５又は請求項６に記載の腕金用営巣防止具。
【発明の詳細な説明】
【技術分野】
【０００１】
本発明は、腕金用営巣防止具に関する。
【背景技術】
【０００２】
例えば、腕金の端部の開口に取り付ける折り畳み式の閉塞具が知られている。（例えば特許文献１）。
【先行技術文献】
【特許文献】
【０００３】
【特許文献１】特開２００７−２８２４３８号
【発明の概要】
【発明が解決しようとする課題】
【０００４】
例えば、電柱には、電線などを支持する腕金が添架されている。腕金は、金属材料で形成され、例えば中空の四角柱形状を呈する。腕金の端部の開口には、従来から営巣防止のために、発砲スチロールなどを埋め込んで開口を閉塞することで営巣を防止していた。しかし、発砲スチロールでは、その材質の脆さに起因して鳥類による営巣を防止できなかった。さらに、劣化した発砲スチロールを取り換えるには停電を要するという問題があった。
【０００５】
そこで、特許文献１では、発砲スチロールに代えて、腕金の端部の開口を閉塞する閉塞具が開示されている。当該閉塞具は、開口に取り付けた状態において、腕金の内周面に向かって弾性付勢する折り畳み構造を有する。そして、作業員は、間接活線工具を用いて、当該閉塞具を腕金の端部の開口に取り付けることができる。当該閉塞具は、腕金の端部の閉塞状態を維持するために、その両端部に設けられている滑り止めを腕金の内周面に向かって弾性付勢する構造を有する部材である。
【０００６】
しかし、当該閉塞具では、間接活線作業はできるものの、両端部に設けられている滑り止めのみで腕金の端部の開口に固定しているため、振動や暴風などにより脱落する虞があった。また、脱落には至らないものの、振動や暴風に起因して、当該閉塞具が端部の開口に向かって移動するような状況が生じるときには、端部の開口に隙間ができることから、腕金の内部に鳥などが侵入して営巣される虞があった。
【課題を解決するための手段】
【０００７】
前述した課題を解決する主たる本発明は、腕金の端部の開口から前記腕金の内周面と対向するように挿入される胴体部と、前記内周面と対向する前記胴体部の対向面から前記内周面に向かって突出するように設けられ、前記胴体部が前記開口から抜け出さないように前記内周面に接触する突出部と、前記胴体部に設けられ、前記胴体部が前記腕金の内部に挿入された状態で前記開口を塞ぐ蓋部と、前記蓋部から突出するように設けられ、間接活線工具で把持される把持部と、を備えたことを特徴とする。
【０００８】
本発明の他の特徴については、添付図面及び本明細書の記載により明らかとなる。
【発明の効果】
【０００９】
本発明によれば、間接活線工具を用いて無停電で取り付け作業が可能となり、腕金の開口を閉塞する構造のものとして、腕金の内周面に合致するように突出部が設けられていることから、異なる腕金の内径や内周面の突起物に合わせて設置できるとともに脱落のリスクを軽減できるため、作業効率の向上と安全性の向上が図れる。
【図面の簡単な説明】
【００１０】
【図１】本実施形態に係る電柱に設置されている腕金の一例を示す図である。
【図２】本実施形態に係る腕金用営巣防止具の一例を示す斜視図である。
【図３Ａ】本実施形態に係る腕金用営巣防止具を−Ｚ方向から見た一例を示す平面図である。
【図３Ｂ】本実施形態に係る腕金用営巣防止具を−Ｘ方向から見た一例を示す平面図である。
【図３Ｃ】本実施形態に係る腕金用営巣防止具を−Ｙ方向から見た一例を示す平面図である。
【図４】本実施形態に係る腕金用営巣防止具を腕金に設置した状態を＋Ｙ方向から見た一例を示す断面図である。
【図５】本実施形態に係る腕金用営巣防止具を腕金に設置するときの作業状況を−Ｘ方向から見た一例を示す平面図である。
【図６】本実施形態に係る腕金用営巣防止具を腕金に設置したときの設置状況を−Ｘ方向から見た一例を示す平面図である。
【発明を実施するための形態】
【００１１】
本明細書および添付図面の記載により、少なくとも以下の事項が明らかとなる。
【００１２】
＝＝＝腕金用営巣防止具１０＝＝＝
図１は、本実施形態に係る電柱１００に設置されている腕金１３０の一例を示す図である。図２は、本実施形態に係る腕金用営巣防止具１０の一例を示す斜視図である。図３Ａは、本実施形態に係る腕金用営巣防止具１０を−Ｚ方向から見た一例を示す平面図である。図３Ｂは、本実施形態に係る腕金用営巣防止具１０を−Ｘ方向から見た一例を示す平面図である。図３Ｃは、本実施形態に係る腕金用営巣防止具１０を−Ｙ方向から見た一例を示す平面図である。図４は、本実施形態に係る腕金用営巣防止具１０を腕金１３０に設置した状態を＋Ｙ方向から見た一例を示す断面図である。図５は、本実施形態に係る腕金用営巣防止具を腕金に設置するときの作業状況を−Ｘ方向から見た一例を示す平面図である。図６は、本実施形態に係る腕金用営巣防止具を腕金に設置したときの設置状況を−Ｘ方向から見た一例を示す平面図である。尚、以下説明において、Ｘ軸はＹ軸とＺ軸に直交する軸であり、Ｙ軸は把持部５０が垂れ下がる方向に沿う軸であり、Ｚ軸は腕金１３０の長手方向に沿う軸である。また、図１〜図６において、同一の部材については同一の数字を付して説明する。
【００１３】
以下、図１〜図４を参照しつつ、本実施形態に係る腕金用営巣防止具１０について説明する。
【００１４】
図１に示されるように、電柱１００には、例えば、電線１１０と、電線１１０を絶縁支持する碍子１２０と、碍子１２０を電柱１００に支持する腕金１３０が添架されている。腕金１３０は、金属材料で形成され、例えば中空の四角柱形状を呈する。腕金用営巣防止具１０は、腕金１３０の端部の開口１３１から鳥類が侵入することによる内部での営巣を防止するために、開口１３１を閉塞するための道具である。腕金用営巣防止具１０は、間接活線工具１４０を用いて開口１３１に装着できる構造を有する。これにより、腕金用営巣防止具１０を装着または脱着させるときに、停電を要せず作業が可能になるため作業効率の向上が図れる。また、腕金用営巣防止具１０は、開口１３１から挿入された状態において、腕金１３０の内周面１３２に向かって突出部３０が圧接するように設けられているため、挿入された状態を強固に維持できる。
【００１５】
上述した腕金用営巣防止具１０は、例えば、胴体部２０と、突出部３０と、蓋部４０と、把持部５０と、を含んで構成されている。
【００１６】
＝＝腕金用営巣防止具１０の構成＝＝
＜＜胴体部２０＞＞
図２、図４を参照しつつ、本実施形態に係る胴体部２０について以下のとおり説明する。
【００１７】
胴体部２０は、腕金１３０の内部に挿入されることで腕金１３０の内部の所定の領域を占領する部材である。図２に示されるように、胴体部２０は、例えば、本体部２１と、切込部２２と、を含んで構成されている。なお、胴体部２０が腕金１３０の内部に挿入された状態において、本体部２１における内周面１３２と対向する面を対向面２１Ａとして、以下説明することとする。
【００１８】
本体部２１は、例えば熱可塑性の汎用の樹脂で形成され、例えばＺ軸に沿う方向を長手方向とする中空の略四角柱形状を呈する。熱可塑性の汎用樹脂には、例えば、ポリエチレン、ポリプロピレン、ポリスチレン、塩化ビニル樹脂などがある。本体部２１は、例えば、後述する突出部３０を内周面１３２に接触させるために、腕金１３０のＸ軸およびＹ軸に沿う断面の断面積と、本体部２１のＸ軸およびＹ軸に沿う断面（ＸＹ断面）の外周縁を含んで形成される面の面積と、が略等しくなるように形成されている。そして、本体部２１は、本体部２１を開口１３１からスムーズに挿入できるように、後述する第２突起部の＋Ｚ側において＋Ｚ方向に向かうに従って断面積が小さくなるように形成されていることが好ましい。
【００１９】
切込部２２は、図４に示されるように、例えば、胴体部２０が腕金１３０の内部に挿入された状態において、腕金１３０の碍子ボルト孔１３３から挿入される碍子ボルト１２１と係合するように形成されている。より具体的には、切込部２２は、例えば本体部２１の＋Ｚ方向の端部中央に設けられ、碍子ボルト孔１３３の径に略等しい径で形成される半円形状を呈する。
【００２０】
＜＜突出部３０＞＞
図２、図３Ｂ、図３Ｃ、図４を参照しつつ、本実施形態に係る突出部３０について以下のとおり説明する。
【００２１】
突出部３０は、胴体部２０が腕金１３０の内部に挿入された状態において、胴体部２０が開口１３１から容易に抜け出ないように、内周面１３２に対して圧接するように設けられる部材である。図２に示されるように、突出部３０は、例えば、第１突出部３１と、第２突出部３２と、を含んで構成されている。
【００２２】
第１突出部３１は、例えば弾性変形する熱可逆性の汎用の樹脂で形成され、例えば本体部２１の対向面２１Ａから突出するように設けられている。弾性変形する熱可塑性の汎用の樹脂には、例えば、ポリエチレン、ポリプロピレン、ポリスチレン、塩化ビニル樹脂などがある。第１突出部３１は、例えば、胴体部２０が腕金１３０の内部に挿入されるときに、腕金１３０の開口１３１と対向する第１Ａ面３１Ａと、第１Ａ面３１Ａの腕金１３０の開口１３１とは反対側に設けられる第１Ｂ面３１Ｂと、で形成されている。より具体的には、例えば、第１Ｂ面３１Ｂが本体部２１の対向面２１Ａから垂直（第２角）に延出するように設けられるとともに、第１Ａ面３１Ａが対向面２１Ａに対して鋭角（第１角）を成して対向面２１Ａから離れるに従って第１Ｂ面３１Ｂに接近するように設けられている。つまり、例えば、図３Ｂ、図３Ｃに示されるように、第１Ａ面３１Ａおよび第１Ｂ面３１Ｂと対向面２１Ａとで形成されるＹ軸およびＺ軸に沿う面で区切られる断面が直角三角形状を呈する。また、第１突出部３１は、本体部２１の周方向に沿って連続的に設けられている。したがって、第１突起部３１は、第１Ａ面３１Ａと第１Ｂ面３１Ｂとが本体部２１の周方向に連続的に形成されることにより、略つば形状を呈するように形成されている。また、胴体部２０が腕金１３０の内部に挿入された状態において、第１突起部３１が内周面１３２に圧接できるように、第１突出部３１においては、第１Ａ面３１Ａと第１Ｂ面３１Ｂとが交差する一方の端辺と、一方の端辺と本体部２１を介して反対側の他方の端辺と、の距離を示す第１突起幅（図３Ｃを参照）が、腕金１３０の一方の端辺と、腕金１３０の一方の端辺と対向する他方の端辺と、の距離を示す腕金内径（図４を参照）よりも大きくなるように形成されている。これにより、図４に示されるように、胴体部２０が腕金１３０の内部に挿入された状態において、第１突起部３１が内周面１３２に圧接するため、胴体部２０が腕金１３０の内部から容易に抜けなくなる。
【００２３】
第２突出部３２は、例えば弾性変形する熱可逆性の汎用の樹脂で形成され、例えば本体部２１から突出するように設けられている。弾性変形する熱可塑性の汎用の樹脂には、例えば、ポリエチレン、ポリプロピレン、ポリスチレン、塩化ビニル樹脂などがある。第２突出部３２は、例えば、胴体部２０が腕金１３０の内部に挿入されるときに、腕金１３０の開口１３１と対向する第２Ａ面３２Ａと、第２Ａ面３２Ａの腕金１３０の開口１３１とは反対側に設けられる第２Ｂ面３２Ｂと、で形成されている。また、第２突出部３２は、本体部２１の周方向に沿って連続的に設けられている。なお、第２突出部３２は、第１突出部３１と同様に略つば形状を呈するように形成されているため、その説明を省略する。図２に示されるように、第２突起部３２は、例えば、第１突起部よりも＋Ｚ側に設けられる。また、第２突起部３２は、第１突起部３１と一定の距離を隔てて設けられることが好ましい。そして、開口１３１から腕金１３０の内部に向かって胴体部２０を段階的に挿入するために、第２突出部３２においては、第２Ａ面３２Ａと第２Ｂ面３２Ｂとが交差する一方の端辺と、一方の端辺と本体部２１を介して反対側の他方の端辺と、の距離を示す第２突起幅（図３Ｃを参照）が、腕金１３０の一方の端辺と、腕金１３０の一方の端辺と対向する他方の端辺と、の距離を示す腕金内径（図４を参照）と略等しく形成されていることが好ましい。これにより、胴体部２０を開口１３１から挿入するときに、腕金１３０の内部に第２突起部３２を引掛けるようにして仮配置しつつ、第１突起部３１を押し込むように胴体部２０を挿入することができる。つまり、第２突出部３２は、開口１３１の近辺に引掛けられることで胴体部２０が腕金１３０の内部から容易に抜け出さないように仮固定しつつ、胴体部２０を段階的に挿入させるための部材である。
【００２４】
＜＜蓋部４０＞＞
図２、図３Ａ、図３Ｂ、図３Ｃ、図４を参照しつつ、本実施形態に係る蓋部４０について以下のとおり説明する。
【００２５】
蓋部４０は、胴体部２０が腕金１３０の内部に挿入された状態において、開口１３１を閉塞する部材である。蓋部４０は、例えば熱可逆性の汎用の樹脂で形成され、略直方体形状を呈する。熱可塑性の汎用の樹脂には、例えば、ポリエチレン、ポリプロピレン、ポリスチレン、塩化ビニル樹脂などがある。図２、図３Ａ〜３Ｃに示されるように、蓋部４０の＋Ｚ側の面には、胴体部２０が延出するように設けられている。なお、蓋部４０と胴体部２０とは、分離できないように一体的に形成されているか、分離できるように胴体部２０が蓋部４０にねじ込まれて接合されているか、はどちらでもよく、容易に外れないように互いが結合していればよい。図４に示されるように、蓋部４０の少なくとも＋Ｚ側の面は、開口１３１よりも大きい面積を有する。そして、蓋部４０は、胴体部２０が腕金１３０の内部に挿入された状態において、ＸＹ平面に沿う蓋部４０における開口１３１に近い側の一面（＋Ｚ側の面）と、開口１３１と、が面一になるように形成されている。これにより、蓋部４０は開口１３１を隙間なく閉塞できる。
【００２６】
＜＜把持部５０＞＞
図３Ａ、図３Ｂ、図３Ｃを参照しつつ、本実施形態に係る把持部５０について以下のとおり説明する。
【００２７】
把持部５０は、間接活線工具１４０を用いて作業が行えるように設けられる部材である。把持部５０は、例えば熱可逆性の汎用の樹脂で形成され、扁平形状を呈する。熱可塑性の汎用の樹脂には、例えば、ポリエチレン、ポリプロピレン、ポリスチレン、塩化ビニル樹脂などがある。図３Ａ〜３Ｃに示されるように、把持部５０は、蓋部４０に＋Ｙ側の一端が接合されている。そして、把持部５０は、蓋部４０のＸ軸およびＺ軸に沿う面（−Ｙ側）から垂れ下がるように設けられている。把持部５０は、例えば、凹凸部５１と、切取部５２と、を含んで構成されている。
【００２８】
凹凸部５１は、扁平形状の平面に設けられる凹凸形状を呈する部分である。凹凸部５１は、間接活線工具１４０（例えば、絶縁ヤットコ１４１）で把持部５０を挟持したときに、間接活線工具１４０から滑らないように設けられる部分である。凹凸部５１は、凹と、凸と、が交互に連続的に設けられている。なお、凹凸部５１は、扁平形状の＋Ｚ側の平面あるいは−Ｚ側の平面のいずれか一方または両方に設けられている。
【００２９】
切取部５２は、蓋部４０から把持部５０を切り取れるように設けられる部分である。切取部５２は、図３Ａ、図３Ｂに示されるように、把持部５０の＋Ｙ端部にＸ軸に沿って−Ｘ端から＋Ｘ端にかけて設けられている。切取部５２は、例えば、間接活線工具１４０を用いて引きちぎりやすいように、切取部５２以外の把持部５０における他の部分と比較して薄く形成されている。切取部５２を設けることにより、把持部５０が何かに引っ掛かるような外的作用に起因して、腕金用営巣防止具１０が端部から抜け出すリスクを軽減できる。
【００３０】
＝＝使用手順＝＝
以下、図１、図５、図６を参照しつつ、腕金用営巣防止具１０の使用手順について以下のとおり説明する。
【００３１】
図１に示されるように、作業員は、腕金用営巣防止具１０を設置する対象の腕金１３０を確認する。作業員は、間接活線工具１４０（例えば、絶縁ヤットコ１４１、タイスティックハンマー１４２）を準備する。作業員は、高所作業車などを用いて、腕金１３０の端部に腕金用営巣防止具１０を設置できる高さまで移動する。
【００３２】
図５に示されるように、作業員は、例えば絶縁ヤットコ１４１で腕金用営巣防止具１０の把持部５０を挟持して、胴体部２０を開口１３１に挿入するように、腕金用営巣防止具１０を持ち上げる。先ず、作業員は、胴体部２０を開口１３１に挿入させるとともに、第２突起部３２までを開口１３１に挿入させる。これにより、第２突起部３２が内周面１３２に接触するため、胴体部２０が腕金１３０の開口１３１から抜け出しにくい状態となる。
【００３３】
次に、作業員は、絶縁ヤットコ１４１で把持部５０を挟持しつつ、タイスティックハンマー１４２で蓋部４０を＋Ｚ方向に向かって打ち込む。図６に示されるように、作業員は、第１突起部３１が腕金１３０の内部に入り込み、かつ蓋部４０の＋Ｚ側の面と開口１３１とが面一になることを確認する。これにより、第１突起部３１が内周面１３２に圧接するため、腕金用営巣防止具１０が腕金１３０の端部から外れないように固定される。
【００３４】
次に、作業員は、図６に示されるように、例えば絶縁ヤットコ１４１で把持部５０を挟持しつつ、把持部５０を蓋部４０から切り取るために、切取部５２に曲げの応力を連続的に加える。作業員は、切取部５２の抵抗力が小さくなってきたところで把持部５０を蓋部４０から切り離す。これにより、腕金用営巣防止具１０が設置された状態において把持部５０に外力がかかって腕金用営巣防止具１０が腕金１３０の端部から外れることを防止できる。
【００３５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、以下のようなものも含まれることとする。
【００３６】
＝＝＝その他の実施形態＝＝＝
＜＜胴体部２０＞＞
上記において、本体部２１は、中空の四角柱形状を呈するとして説明したが、中空でなくてもよく、本体部２１の側面が内周面１３２に対向する形状のものであればよい。
【００３７】
また、上記において、胴体部２０は、切込部２２を含んで構成されているとして説明したが、切込部２２を含んで構成されている必要はない。この場合、本体部２１の腕金１３０の長手方向（Ｚ方向）の長さが碍子ボルト孔１３３に届かないような延長のものであればよい。
【００３８】
また、上記において、切込部２２は、本体部２１の＋Ｚ方向の端部に半円状を呈して設けられているとして説明したが、半円状を呈していなくてもよく、例えば胴体部２０の＋Ｚ側の端部をＹ軸に沿って円状に貫通して設けられていてもよい。この場合、本体部２１の腕金１３０の長手方向（Ｚ方向）の長さが、本体部２１が挿入された状態において碍子ボルト孔１３３を塞ぐような延長のものであればよい。
【００３９】
＜＜突出部３０＞＞
上記において、突出部３０（第１突出部３１，第２突出部３２）は、本体部２１の周方向に沿って連続的に設けられているとして説明したが、これに限定されない。例えば、本体部２１の周方向に沿って突起部３０（第３突起部，第４突起部）が断続的に設けられていてもよい。この場合、突出部３０（第３突起部，第４突起部）は、本体部２１の周方向に沿って等間隔で設けられ、三つ以上で構成されていることが好ましい。突出部３０（第３突起部，第４突起部）による内周面１３２への圧接をバランスよく均等に行うためである。なお、断続的に設けられる突出部３０（第３突起部，第４突起部）は、胴体部２０が腕金１３０の内部に挿入されるときに、腕金１３０の開口１３１と対向する第３２面（不図示）と、第３２面（不図示）の腕金１３０の開口１３１とは反対側に設けられる第３１面（不図示）と、で形成されていることとする。
【００４０】
また、上記において、突出部３０（第１突出部３１，第２突出部３２）は、Ｙ軸およびＺ軸に沿う面で区切られる断面が直角三角形形状を呈しているとして説明したが、これに限定されない。例えば、第１Ａ面３１Ａと対向面２１Ａとで挟まれた第１角と、第１角と対向する第１Ｂ面３１Ｂと対向面２１Ａとで挟まれた第２角と、第１角および第２角とは異なる内角と、のそれぞれが鋭角からなる三角形形状でもよい。なお、胴体部２０が腕金１３０の内部に挿入しやすく、かつ抜けにくくするために、第１角の第１角度が第２角の第２角度よりも小さくなるように形成されることとする。
【００４１】
また、上記において、突出部３０は、第１突出部３１と、第２突出部３２と、を含んで構成されているとして説明したが、これに限定されない。例えば、突出部３０は、第１突出部３１のみで構成されていてもよい。第１突出部３１は、胴体部２０が腕金１３０の内部に挿入されたときに、内周面１３２と圧接するため、胴体部２０が開口１３１から容易に抜け出さないという効果を発揮できるためである。
【００４２】
また、上記において、突起部は、第１突出部３１と、第２突出部３２と、を含んで構成されているとして説明したが、これに限定されない。突起部３０は、例えば、第２突起部３２よりも＋Ｚ側にさらに突起部を含んで構成されていてもよい。この場合、当該突起部は、第２突起部３２の第２突起幅と等しい突起幅で形成されていることが好ましい。さらに、当該突起部よりも＋Ｚ側にさらに突起部が設けられていてもよく、その個数が限定されるものではない。
【００４３】
＜＜蓋部４０＞＞
上記において蓋部４０は、略直方体形状を呈するとして説明したが、これに限定されない。例えば、円柱形状でもよく、胴体部２０が腕金１３０の内部に挿入された状態において、開口１３１を閉塞するＸＹ平面に沿う蓋部４０の一面と、開口１３１と、が面一になるように形成されていればよい。
【００４４】
＜＜把持部５０＞＞
上記において、把持部５０は、蓋部４０のＸ軸およびＺ軸に沿う面（−Ｙ側）から垂れ下がるように設けられているとして説明したが、これに限定されない。例えば、胴体部２０における第１突出部３１と第２突出部３２との間に設けられていてもよい。
【００４５】
また、上記において、把持部５０は、凹凸部５１を含んで構成されているとして説明したが、凹凸部５１を設けなくてもよい。
【００４６】
また、上記において、切取部５２は、切取部５２以外の把持部５０における他の部分と比較して薄く形成されているとして説明したが、これに限定されない。例えば、薄くする代わりにミシン目を設けることで把持部５０を切り離せるように構成してもよい。
【００４７】
また、上記において、把持部５０は、切取部５２を含んで構成されているとして説明したが、切取部５２を設けなくてもよい。つまり、腕金用営巣防止具１０が腕金１３０の端部に設置された状態において把持部５０が設けられたままでも、胴体部２０が開口１３１から容易に抜け出さないという効果を発揮できるためである。
【００４８】
＝＝＝まとめ＝＝＝
以上説明したように、本実施形態に係る腕金用営巣防止具１０は、腕金１３０の端部の開口１３１から内周面１３２と対向するように挿入される胴体部２０と、内周面１３２と対向する胴体部２０の対向面２１Ａから内周面１３２に向かって突出するように設けられ、胴体部２０が開口１３１から抜け出さないように内周面１３２に接触する突出部３０と、胴体部２０に設けられ、胴体部２０が腕金１３０の内部に挿入された状態で開口１３１を塞ぐ蓋部４０と、蓋部４０から突出するように設けられ、間接活線工具１４０で把持される把持部５０と、を備えることを特徴とする。本実施形態によれば、開口１３１を隙間なく閉塞できるとともに、腕金用営巣防止具１０が容易に開口１３１から抜け出さない構造を有するため、確実に営巣を防止できる。
【００４９】
また、本実施形態に係る腕金用営巣防止具１０において、突出部３０は、対向面２１Ａの周方向に沿って連続して設けられることを特徴とする。本実施形態によれば、対向面２１Ａの周方向に連続的に設けられているため内周面１３２との接触面積が大きくなるため、開口１３１から容易に抜け出さず確実に設置できる。
【００５０】
また、本実施形態に係る腕金用営巣防止具１０において、突出部３０は、弾性変形する材質で形成される第１突出部３１と、第１突出部３１よりも胴体部２０が腕金１３０の内部に挿入される方向の側に設けられ、弾性変形する材質で形成される第２突出部３２と、で形成され、第２突出部３２が内周面１３２に接触する圧力が、第１突出部３１が内周面１３２に接触する圧力よりも小さくなるように、第２突出部３２の突出する長さが第１突出部３１の突出する長さよりも短く形成されることを特徴とする。本実施形態によれば、開口１３１に挿入する方向に突出する長さが短い突出部３０が設けられるため、胴体部２０を開口１３１に挿入しやすく構成されることから作業効率の向上が図れる。
【００５１】
また、本実施形態に係る腕金用営巣防止具１０において、突出部３０は、胴体部２０が腕金１３０の内部に挿入されるときに開口１３１と対向する第１Ａ面３１Ａと、第１Ａ面３１Ａの開口１３１とは反対側に設けられる第１Ｂ面３１Ｂと、を有し、第１Ａ面３１Ａと第１Ｂ面３１Ｂとが対向面２１Ａから遠ざかるにつれて互いに接近するように形成され、第１Ａ面３１Ａと対向面２１Ａとで挟まれた第１角と、第１Ｂ面３１Ｂと対向面２１Ａとで挟まれた第２角と、が対向するとともに、第１角の第１角度が第２角の第２角度よりも小さくなるように形成されることを特徴とする。本実施形態によれば、本体部２１が開口１３１から抜け出にくくなるような突出部３０の形状を備えるため、腕金用営巣防止具１０を確実に配置できる。
【００５２】
また、本実施形態に係る腕金用営巣防止具１０において、突出部３０は、胴体部２０の対向面２１Ａの周方向に沿って断続的に設けられることを特徴とする。本実施形態によれば、内周面１３２の構造に合わせて挿入しやすくなるため、作業効率の向上が図れる。
【００５３】
また、本実施形態に係る腕金用営巣防止具１０において、断続的に設けられる突出部３０は、弾性変形する材質で形成される第３突出部（不図示）と、第３突出部よりも胴体部２０が腕金１３０の内部に挿入される方向の側に設けられ、弾性変形する材質で形成される第４突出部（不図示）と、で形成され、第４突出部が内周面１３２に接触する圧力が、第３突出部が内周面１３２に接触する圧力よりも小さくなるように、第４突出部の突出する長さが第３突出部の突出する長さよりも短く形成されることを特徴とする。本実施形態によれば、開口１３１に挿入する方向に突出する長さが短い突出部３０（第４突出部）を設けることによって、胴体部２０を腕金１３０の内部に挿入しやすくなるため、作業効率の向上が図れる。
【００５４】
また、本実施形態に係る腕金用営巣防止具１０において、断続的に設けられる突出部３０は、胴体部２０が腕金１３０の内部に挿入されるときに開口１３１と対向する第３１面（不図示）と、第３１面の開口１３１とは反対側に設けられる第３２面（不図示）と、を有し、第３１面と第３２面とが対向面２１Ａから遠ざかるにつれて互いに接近するように形成され、第３１面と対向面２１Ａとで挟まれた第３角（不図示）と、第３２面と対向面２１Ａとで挟まれた第４角（不図示）と、が対向するとともに、第３角の第３角度が第４角の第４角度よりも小さくなるように形成されることを特徴とする。本実施形態によれば、本体部２１が開口１３１から抜け出にくくなるような突出部３０の形状を備えるため、腕金用営巣防止具１０を確実に配置できる。
【符号の説明】
【００５５】
１０  腕金用営巣防止具
２０  胴体部
２１Ａ  対向面
３０  突出部
３１  第１突出部
３１Ａ  第１Ａ面
３１Ｂ  第１Ｂ面
３２  第２突出部
４０  蓋部
５０  把持部
１３０  腕金
１３１  開口
１３２  内周面
１４０  間接活線工具
【図１】
0006699349.tif 000002
【図２】
0006699349.tif 000003
【図３Ａ】
0006699349.tif 000004
【図３Ｂ】
0006699349.tif 000005
【図３Ｃ】
0006699349.tif 000006
【図４】
0006699349.tif 000007
【図５】
0006699349.tif 000008
【図６】
0006699349.tif 000009